(57)【要約】【課題】公営競技のレースの予想をユーザー間で相互売買を仲介するサーバー及びプログラムが記録されたコンピュータ読み取り可能な記録媒体及び運用方法の提供を目指す。【解決手段】ネットワークに接続可能な端末とサーバーの構成で、予想販売者のレースの予想を蓄積する機能と該予想の当選結果を算出する機能と該予想を販売する機能を備える。【選択図】図１
2009259180.tif 000002
【特許請求の範囲】
【請求項１】
ネットワークに接続可能な端末と同じくネットワークに接続可能なサーバーを含み、ユーザーが入力した公営競技の結果予想を相互に売買することを仲介するサーバーであって、前記端末がネットワークを介して前記サーバーに接続したことに応じて、あらかじめ記録され、予想の入力可能な公営競技のレースの一覧を端末に送出し、前記端末からレースの選択情報を取得したことに応じて、レースの予想の入力エリアを前記端末に送出し、前記レースの予想の入力を受信したことに応じて、これを記録し、レースの結果確定後にレースの結果を記録し、これを前記のレースの予想と照らし合わせユーザーの予想の的中率を算出し記録することを特徴とするサーバー及びプログラムが記録されたコンピュータ読み取り可能な記録媒体及び運用方法。
【請求項２】
ネットワークに接続可能な端末と同じくネットワークに接続可能なサーバーを含み、ユーザーが入力した公営競技の結果予想を相互に売買することを仲介するサーバーであって、前記端末がネットワークを介して前記サーバーに接続したことに応じて、あらかじめ記録され、予想の入力可能な公営競技のレースの一覧を端末に送出し、前記端末からレースの選択情報を取得したことに応じて、該当レースの予想を入力している全ユーザーの一覧と、これに該ユーザーの過去の予想の的中率と予想購入ボタンを合わせて表示し、予想購入ボタン実行時に端末操作ユーザーと予想販売ユーザーに関する情報を課金情報として記録し、予想販売ユーザーの該レースの予想入力情報を端末に送出することを特徴とする請求項１に記載のサーバー及びプログラムが記録されたコンピュータ読み取り可能な記録媒体及び運用方法。
【発明の詳細な説明】
【技術分野】
【０００１】本発明は公営競技の各レースの着順の予想を売買する仕組みに関するものである。
【背景技術】
【０００２】競馬や競艇を含む公営競技の各レースの着順を予想し、これを販売する方法はダイヤルＱ２を使用して通話代として代金を徴収する方法と、予想を記した紙面を販売する方法と、会員費を先に徴集しメールなどで予想を通達する方法と、インターネット上に携帯電話向け公式サイトを開設し代金の徴収を携帯電話会社に代行してもらう方法と、課金システムと情報表示サイトを構築しあらかじめ入金したユーザーのみに情報を開示する方法が存在する。
【発明の開示】
【発明が解決しようとする課題】
【０００３】予想を販売し金銭を徴収するためには、背景技術で記載した様なシステムを導入する必要があり、そのシステム導入は煩雑であり経済的負担も大きい。しかも背景技術で記載した方法は法人では採用可能だが個人での採用は困難なケースが存在する。【０００４】また、予想を販売する側は購入を促すために的中率の高いことを掲示し宣伝を行うが、過去の予想結果を公正に開示していないため、予想を購入するユーザーには予想を購入するための公平性が担保されていない。【０００５】本発明は、予想を販売するユーザーが入力した予想をデータとしてサーバー上で蓄積を行い、これの当選結果を集計・開示することで、予想販売ユーザーの過去の実績を提示し、購入ユーザーが予想を購入する際の判断材料を補助し、且つユーザー間の入力された結果予想を相互に売買することを仲介するシステム及びソフトウェアの提供を目的とする。
【課題を解決するための手段】
【０００６】上記課題を解決するためにインターネットを含む通信ネットワークを介してブラウザ及び専用アプリケーションで接続可能な端末と、同じくインターネットを含む通信ネットワークに接続可能なサーバーで構成され、端末ユーザーを識別する情報を送出する機能とユーザーの情報を取得し記録する機能を備え、公営競技の開催されるレースに関する情報をあらかじめ記録し、端末が操作している日時がレースの開始時間から一定時間前のレースを選択可能なレースとして端末に送出する機能を備え、端末が選択したレース情報を取得し、予想を入力するエリアを送出する機能を備え、端末が入力したレースの予想を取得し、入力した端末ユーザーのデータとして記録する機能を備え、レースの結果確定後にレースの結果を記録する機能を備え、レースの結果確定後にレースの結果と、各ユーザーの該レースの予想データを照らし合わせ、当選結果を記録し、過去の他のレースの当選結果を含め的中率を算出する機能を備え、端末が選択したレース情報を取得し、すでに該レースの予想を入力済みのユーザーの一覧を取得しこれを表示し、各ユーザーに付随する情報として各ユーザーの的中率と予想の購入ボタンを合わせて表示する機能を備え、端末ユーザーが購入ボタンを実行した場合、選択されたユーザーの情報と端末ユーザーの情報と選択されたレースの情報を取得し、課金情報として記録し、選択されたユーザーの該レースの予想データを取得し、これを端末に送出する機能を備える。
【発明の効果】
【０００７】本発明により、予想購入者は予想販売者の過去の当選結果を参照し、これを参考に予想の購入判断を行うことができ、且つ予想販売者は簡便な手順で予想の販売を行うことができる。
【実施例】
【０００８】上記課題を解決するためにインターネットを含む通信ネットワークを介してブラウザ及び専用アプリケーションで接続可能な端末と、同じくインターネットを含む通信ネットワークに接続可能なサーバーで構成される。【０００９】端末ユーザーを識別する情報を送出する機能とユーザーの情報を取得し記録するログイン機能を備える。【００１０】公営競技の開催されるレースに関する情報をあらかじめ記録するレース情報入力機能を備える。【００１１】端末が操作している日時がレースの開始時間から一定時間前のレースを選択可能なレースとして端末に送出するレース選択機能を備える。【００１２】端末が選択したレース情報を取得し、予想を入力するエリアを送出し、端末が入力したレースの予想を取得し、入力した端末ユーザーのデータとして記録する予想入力機能を備える。【００１３】レースの結果確定後にレースの結果を記録し、各ユーザーの該レースの予想データを照らし合わせ、当選結果を記録し、過去の他のレースの当選結果を含め的中率を算出するレース結果入力機能を備える。【００１４】端末が選択したレース情報を取得し、すでに該レースの予想を入力済みのユーザーの一覧を取得しこれを表示し、各ユーザーに付随する情報として各ユーザーの的中率と予想の購入ボタンを合わせて表示する予想入力済みユーザー一覧機能を備える。【００１５】端末が購入ボタンを実行した場合、選択されたユーザーの情報と端末ユーザーの情報と選択されたレースの情報を取得し、課金情報として記録し、選択されたユーザーの該レースの予想データを取得し、これを端末に送出するユーザー予想詳細機能を備える。【００１６】なお、本発明はレースの予想を販売するユーザーが予想を販売することに専任することを限定するものではなく、予想を販売するユーザーが予想を購入することも可能とし、予想を購入するユーザーが予想を販売することも可能とする。
【図面の簡単な説明】
【００１７】
【図１】本発明の運用システムの構成を示す図である。
【符号の説明】
【００１８】１    端末
２    サーバー
３    サーバー内で操作するプログラム群
４    端末から操作するプログラム群
１０  ログイン機能
１１  レース選択機能
１２  予想情報入力機能
１３  予想入力済みユーザー一覧機能
１４  ユーザー予想詳細機能
２０  レース情報入力機能
２１  レース結果情報入力機能
【図１】
2009259180.tif 000003